(57)【要約】      （修正有）【課題】本体内部に格納した磁石の磁界により起電力が生ずる電磁誘導の現象を利用して、浴槽内の湯水の湯水質改善を手軽に行える磁気入浴用品を提供する。【解決手段】浴槽の中において、本体が湯水の水面直下に浮かび浴槽の中で生ずるすべての湯水の動きに呼応され揺り動きながら、本体内部に格納されたネオジム磁石の浴槽底面へ向けられた磁気回路により、起電力を生ずる電磁誘導の現象が積極的に引き起こり、ゆえに、磁気による湯水質の改善が効率良く行われる。【選択図】図３
0003163054.tif 000002
【実用新案登録請求の範囲】
【請求項１】
本体内部に磁石を格納した本体は、浴槽内の湯水に対し、起電力が生ずる電磁誘導の現象を利用し湯水質改善を行うため、発泡ウレタン合成木材であるケミカルウッドから成る本体ケース仕様により、浴槽内の湯水に浮遊することのできる磁気入浴用品。
【請求項２】
前記本体は、浴槽の中で生ずるすべての湯水の運動を、磁石を格納した本体に作用させることにより、電磁誘導の現象をより積極的に引き起こすため、浴槽内の水面直下に浮遊することを目的とする請求項１記載の磁気入浴用品。
【請求項３】
前記本体は、磁気による湯水質の改善が効率良く行われるため、本体内部に浴槽底面へ向けられた磁気回路を備える請求項２記載の磁気入浴用品。
【請求項４】
永久磁石であるネオジム磁石を、耐水性を有する発泡ウレタン合成木材であるケミカルウッドから成る本体ケースに格納することにより、湯水に浸かったままでも、本体の特性に影響なく長期に亘り耐用のできることを特徴とする請求項３記載の磁気入浴用品。
【考案の詳細な説明】
【技術分野】
【０００１】本考案は、本体内部に格納した磁石の磁界により起電力が生ずる電磁誘導の現象を利用して、浴槽内の湯水の湯水質改善を手軽に行える磁気入浴用品に関するものである。
【背景技術】
【０００２】入浴器表面に磁石を複数個配置し、湯浴中の湯動を利用してファラデーの法則を成り立たせ、電磁誘導により浴湯中のイオンの活性化が起こり、温泉、プール、公衆浴場、家庭風呂、循環式風呂などの湯水質改善を行うものが従来から知られている。（例えば特許文献１参照）。【０００３】ひの木材ボールに、棒状の磁石を６方面から均等に入れ込み、このボールを入浴の際に、浴槽の湯の中に無数に入れて、利用する人の健康と、精神衛生の向上に役立てるものが従来から知られている。（例えば特許文献２参照）。【０００４】ネオジム磁石を収納したプラスチックケースをお風呂の底に沈め湯を張り、静磁気の作用によりお風呂のお湯全体を磁化した滑らかなお湯に変えるものが従来から利用されてきている。【０００５】ネオジム磁石を装填した吸盤付きのマットをお風呂の底に貼り付け湯を張り、入浴の際、磁気効果により血行を促す作用のあるものが従来から利用されてきている。【０００６】フェライト磁石を収納したひのき材とステンレス材で構成された容器をお湯張りした浴槽の底に沈め、磁力線によって水の分子構造を変化させ、お湯を柔らかくし湯当たりを良くするものが従来から利用されてきている。【０００７】浴槽の中の湯水の効率の良い湯水質改善と浴室内に設置されているシャワーホースやカランパイプの給湯水の湯水質改善について、どちらについても手軽に行うことのできる磁気入浴用品が従来から知られている。（例えば特許文献３参照）。
【先行技術文献】
【特許文献】
【０００８】
【特許文献１】特開２００５−３０４６８７
【特許文献２】特開２０００−２０２０３９
【特許文献３】実登３１５７３６７号
【考案の概要】
【考案が解決しようとする課題】
【０００９】本体内部に格納した磁石の磁界により起電力が生ずる電磁誘導の現象を利用して、浴槽内の湯水の湯水質改善を手軽に行える磁気入浴用品の考案である。
【課題を解決するための手段】
【００１０】磁界の中をイオンやミネラルなどの不純物を含む水道水が運動すると、起電力が生ずる電磁誘導の現象を利用し、従来からさまざまな方法により磁気による湯水質の改善が行われてきている。浴槽の中で生ずる湯水の運動として、お湯張りをする際の湯水の流れ、追い炊きをする際の湯水の対流、そして、入浴中の人の動きに応じ生ずる湯水の動きなどがあり、これら浴槽の中で生ずる湯水の運動を、本体内部に格納する磁石の磁界に、有効に関与させることが重要である。本考案では、浴槽内の湯水に浮かべて使用する形態の磁気入浴用品を検討する。【００１１】磁石を格納した本体の重量を考えるならば、本体ケースは、湯水に浮かぶことのできる比重の小さな軽量性、そして、入浴用品であるがゆえに、湯水に侵食しない耐水性を有する材質から成ることが必須である。このことは、発泡ウレタン合成木材であるケミカルウッドを採用することで解決ができる。【００１２】浴槽の中で生ずる湯水の運動において、水面の上下運動も欠かすことができない。この水面の上下運動を、磁石を格納した本体に作用させることにより、本体は、浴槽内の湯水に対して、さらに積極的な電磁誘導の現象を与える機会ができる。そのために本体が浴槽内で浮遊する位置は、水面であることが望ましいが、磁気による湯水質の改善を効率良く行うためには、本体内部に格納する磁石の磁界は、水面下に位置する必要がある。したがって、本体は、浴槽内の水面直下で浮遊することが最も望ましい。【００１３】本体が浴槽内の水面直下で浮遊している状態であれば、本体内部に格納する磁石の磁界は、浴槽底面へ向けられた磁気回路の形成が求められる。浴槽内の湯水の容量を考慮するならば、本体内部に格納する磁石は、磁束密度の最も高いネオジム磁石が最適であろう。磁石の磁界は、Ｎ極からＳ極へある一定の放物線を描くが、一方の磁極側へ拡がる磁界を形成するためには、他方の磁極に強磁性体である鉄を備え付け磁力線を妨げる磁気回路とすれば良い。以上を、本考案における湯水質改善が効率良く行われるための基礎原理とする。【００１４】強磁性体である鉄を備え付けたネオジム磁石の重量と、ケミカルウッドから成る本体ケースの比重や体積との関係性により、本体が浴槽内の水面直下の位置で浮遊するためには、本考案における本体の形状は図１となる。本体内部には、Ｓ極に強磁性体である鉄を備え付けた円柱型のネオジム磁石を、拡がる磁界の形成されたＮ極側が本体ケースの底面に配置されるよう格納する。そして、ネオジム磁石を格納した本体内部には、湯水が浸入しないようシーリング成形をし、さらに樹脂製のケース蓋で密閉をする。以上、この形態を本考案における磁気入浴用品として定義する。
【考案の効果】
【００１５】人が入浴中に浴槽の中で本体を意図的に湯水と遊ばせる運動も、効率の良い湯水質の改善にとって、大変効果的である。【００１６】永久磁石であるネオジム磁石を、耐水性を有する発泡ウレタン合成木材であるケミカルウッドから成る本体ケースに格納することにより、湯水に浸かったままでも、本体の特性に影響なく長期に亘り耐用ができる。【００１７】本体は、浴槽内の水面直下で浮かんでいるため、入浴する人が浴槽に足を踏み入れる際、あやまって本体を踏み込む危険性のない安全性に配慮された磁気入浴用品である。
【図面の簡単な説明】
【００１８】
【図１】本考案における磁気入浴用品を示す正面図である。
【図２】本体ケースの底面の平面図である。
【図３】浴槽内での使用を示す正面図である。
【考案を実施するための形態】
【００１９】浴槽内の湯水にぷかぷかと浮遊した本体は、まるで果物であるかの様に愛らしく、視覚的にもリラクゼーション効果を得られる磁気入浴用品である。図３参照。
【実施例】
【００２０】本体をお湯張りや追い炊きの際に浴槽へ入れる。浴槽の中では、本体が湯水の水面直下に浮かび浴槽の中で生ずるすべての湯水の動きに呼応され揺り動きながら、本体内部に格納されたネオジム磁石の浴槽底面へ向けられた磁気回路により、起電力を生ずる電磁誘導の現象が積極的に引き起こり、磁気による湯水質の改善が効率良く行なわれる。図３参照。
【産業上の利用可能性】
【００２１】本考案は、お風呂に浮かべて使用する磁気入浴用品に関するものである。
【符号の説明】
【００２２】１      ケミカルウッドから成る本体ケース
２      円柱形ネオジム磁石
３      強磁性体鉄
４      樹脂製ケース蓋
５      磁力線
６      浴槽内の水面
【図１】
0003163054.tif 000003
【図２】
0003163054.tif 000004
【図３】
0003163054.tif 000005
【手続補正書】
【提出日】平成22年7月10日(2010.7.10)
【手続補正１】
【補正対象書類名】実用新案登録請求の範囲
【補正対象項目名】全文
【補正方法】変更
【補正の内容】
【実用新案登録請求の範囲】
【請求項１】
本体内部に磁石を格納した本体は、浴槽内の湯水に対し、起電力が生ずる電磁誘導の現象を利用し湯水質改善を行うため、発泡ウレタン合成木材であるケミカルウッドから成る本体ケースにより、浴槽内の湯水に浮遊することのできる磁気入浴用品。
【請求項２】
前記本体は、浴槽の中で生ずるすべての湯水の運動を、磁石を格納した本体に作用させ、電磁誘導の現象をより積極的に引き起こすため、本体内部に格納する磁石の重量とケミカルウッドから成る本体ケースの比重との関係性から、本体ケースの底面部位に設けた磁石格納部が、本体ケースの体積のおよそ３分の１に相当する構造により、浴槽内の湯水の水面直下に浮遊することのできる請求項１記載の磁気入浴用品。
【請求項３】
前記本体は、磁気による湯水質の改善が効率良く行われるため、本体ケースの磁石格納部に格納する磁石のＳ極に、本体の底面に配置されるＮ極からの磁力線の伸びを有するよう強磁性体である鉄を備え付けることにより、浴槽底面へ向けた磁界を形成する磁気回路を備えた請求項２記載の磁気入浴用品。
【請求項４】
永久磁石であるネオジム磁石を、耐水性を有する発泡ウレタン合成木材であるケミカルウッドから成る本体ケースに格納することにより、湯水に浸かったままでも、本体の特性に影響なく長期に亘り耐用のできることを特徴とする請求項３記載の磁気入浴用品。